(57)【要約】【課題】音声の録音が可能な通信端末、該通信端末を制御する通信端末制御プログラム及び通信端末制御方法において、コストを上げたり通信端末の装置構成を複雑化することなくステレオ方式の録音を可能とする。【解決手段】イヤホンマイク１３０が接続された際、制御部１４は携帯電話１００の内蔵マイク１３１ｌとイヤホンマイク１３０の外部マイク１３１ｒとを一対のステレオ方式のマイクに設定してステレオ録音する。この録音の際、制御部１４は音声データを左右別々に（すなわち内蔵マイク１３１ｌから取り込んだ音声データと外部マイク１３１ｒから取り込んだ音声データとを別々に）ＲＯＭ１５に格納するので、当該ＲＯＭ１５に格納した音声データをステレオ方式で再生できる。【選択図】　　　　　図１
2004023535.tif 000002
【特許請求の範囲】
【請求項１】
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末において、前記第１及び第２の音声データを左右一対のステレオ用音声データとして前記音声データ記憶手段に記憶するよう制御する制御手段を備えたことを特徴とする通信端末。
【請求項２】
前記第２のマイクの着脱状態を検出する検出手段を備え、
前記制御手段は、
前記検出手段により前記第２のマイクが装着されたと検出された場合、前記第１及び第２の音声データを左右一対のステレオ用音声データとして前記音声データ記憶手段に記憶するよう制御することを特徴とする請求項１記載の通信端末。
【請求項３】
前記音声データ記憶手段に記憶された前記第１及び第２の音声データを読み出す音声データ読出手段を備えたことを特徴とする請求項１又は２に記載の通信端末。
【請求項４】
前記音声データ読出手段は、
前記音声データ記憶手段に記憶された前記第１及び第２の音声データのうち何れか一方を選択する選択入力に応じて、該第１或いは第２の音声データを読み出すことを特徴とする請求項３記載の通信端末。
【請求項５】
前記音声データ読出手段により読み出された前記第１及び第２の音声データをモノラル用音声データに合成する合成手段を備えたことを特徴とする請求項１〜３のいずれか一項に記載の通信端末。
【請求項６】
前記合成手段は、前記音声データ記憶手段に記憶された前記第１及び第２の音声データを、音声レベルの正負が互いに逆になるように合成することを特徴とする請求項５記載の通信端末。
【請求項７】
前記第１及び第２の音声データに基づいて該第１及び第２のマイクの入力レベルを判定する入力レベル判定手段と、
前記入力レベル判定手段により判定された前記第１及び第２のマイクの入力レベルが均等になるよう調整する入力レベル調整手段と、
を備えたことを特徴とする請求項１〜６のいずれか一項に記載の通信端末。
【請求項８】
前記第１及び第２のマイクの入力レベルを各々指定する入力レベル指定手段を備え、
前記入力レベル調整手段は、
前記第１及び第２のマイクの各入力レベルが指定された場合、当該指定された入力レベルに基づいて該第１及び第２のマイクの入力レベルを各々調整することを特徴とする請求項７記載の通信端末。
【請求項９】
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末を制御するコンピュータに、
前記第１及び第２の音声データを左右一対のステレオ用音声データとして前記音声データ記憶手段に記憶するよう制御する制御機能を実現させる為の通信端末制御プログラム。
【請求項１０】
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末を制御する通信端末制御方法において、
前記第１及び第２の音声データを左右一対のステレオ用音声データとして前記音声データ記憶手段に記憶するよう制御する制御ステップを含んだことを特徴とする通信端末制御方法。
【発明の詳細な説明】
【０００１】
【発明の属する技術分野】
本発明は通信端末、通信端末制御プログラム及び通信端末制御方法に関する。
【０００２】
【従来の技術】
近時、会話や音楽等の音声を録音したり再生できる携帯電話等の通信端末が普及している。このような通信端末で音声を録音する場合、通信端末のＣＰＵは、音声信号を内蔵モノラルマイク或いは接続された外部マイク（例えば、ハンズフリーの為のイヤホンマイク等）を用いて取り込んでデジタルデータ（以下、音声データという）に変換した後、当該音声データを内蔵する不揮発メモリに保存（すなわち録音）する。また再生する際には、当該ＣＰＵは、当該不揮発メモリに保存された音声データを読み出して音声信号に変換した後、当該音声を内蔵モノラルスピーカから放音する。
【０００３】
【発明が解決しようとする課題】
しかし、上記通信端末のようなモノラル方式による録音ではステレオ方式に比べ臨場感に欠けており、正確な音声録音が困難となる。また、ステレオ方式で録音するには左右２チャンネルのマイクが必要となり、小型軽量化が望まれる携帯電話等の通信端末の装置構成が複雑化されると共にコスト高となる。
【０００４】
本発明の課題は、音声の録音が可能な通信端末、該通信端末を制御する通信端末制御プログラム及び通信端末制御方法において、コストを上げたり装置構成を複雑化することなくステレオ方式で録音が可能な通信端末、プログラム及び制御方法を提供することである。
【０００５】
【課題を解決するための手段】
上記課題を解決するため、本発明は、
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末において、前記第１及び第２の音声データを左右一対のステレオ用音声データとして前記音声データ記憶手段に記憶するよう制御する制御手段を備えたことを特徴とする。
【０００６】
更に、前記第２のマイクの着脱状態を検出する検出手段を備え、
前記制御手段は、
前記検出手段により前記第２のマイクが装着されたと検出された場合には前記第１及び第２の音声データを左右一対のステレオ用音声データとして前記音声データ記憶手段に記憶するよう制御するのが好ましい。
【０００７】
更に、前記音声データ記憶手段に記憶された前記第１及び第２の音声データを読み出す音声データ読出手段を備えるのが好ましい。
【０００８】
更に、前記音声データ読出手段は、
前記音声データ記憶手段に記憶された前記第１及び第２の音声データのうち何れか一方を選択する選択入力に応じて、該第１或いは第２の音声データを読み出すのが好ましい。
【０００９】
更に、前記音声データ読出手段により読み出された前記第１及び第２の音声データをモノラル用音声データに合成する合成手段を備えるのが好ましい。
【００１０】
更に、前記合成手段は、
前記音声データ記憶手段に記憶された前記第１及び第２の音声データを、音声レベルの正負が互いに逆になるように合成するのが好ましい。
【００１１】
更に、前記第１及び第２の音声データに基づいて該第１及び第２のマイクの入力レベルを判定する入力レベル判定手段と、
前記入力レベル判定手段により判定された前記第１及び第２のマイクの入力レベルが均等になるよう調整する入力レベル調整手段と、
を備えるのが好ましい。
【００１２】
更に、前記第１及び第２のマイクの入力レベルを各々指定する入力レベル指定手段を備え、
前記入力レベル調整手段は、
前記第１及び第２のマイクの各入力レベルが指定された場合、当該指定された入力レベルに基づいて該第１及び第２のマイクの入力レベルを各々調整するのが好ましい。
【００１３】
また上記課題を解決するため、本発明は、
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末を制御するコンピュータに、
前記第１及び第２の音声データを左右一対のステレオ用音声データとして前記音声データ記憶手段に記憶するよう制御する制御機能を実現させることを特徴とする。
【００１４】
また上記課題を解決するため、本発明は、
第１のマイクを固定的に備え、第２のマイクを着脱自在に備え、該第１のマイクを介して取り込んだ第１の音声データと前記第２のマイクを介して取り込んだ第２の音声データとを記憶する音声データ記憶手段を備えた通信端末を制御する通信端末制御方法において、
前記第１及び第２の音声データを左右一対のステレオ用音声データとして前記音声データ記憶手段に記憶するよう制御する制御ステップを含んだことを特徴とする。
【００１５】
【発明の実施の形態】
以下、図１及び図２を参照して本発明の実施の形態における携帯電話１００について詳細に説明する。
【００１６】
図１を参照して携帯電話１００の内部構成を詳細に説明する。図１は、携帯電話１００の主要構成を示すブロック図である。
図１に示すように、携帯電話１００は、アンテナ１１、ＲＦ１２、ＳＷ１３ａ、１３ｂ、内蔵マイク１３１ｌ、内蔵左スピーカ１３３ｌ、内蔵右スピーカ１３３ｒ、制御部１４、ＲＯＭ１５、ＫＥＹ１６、ＬＣＤ（Ｌｉｑｕｉｄ　Ｃｒｙｓｔａｌ　Ｄｉｓｐｌａｙ）１７、ＬＥＤ（Ｌｉｇｈｔ　Ｅｍｉｔｔｉｎｇ　Ｄｉｏｄｅ）１８及び接続検出器１９等を備えて構成される。
【００１７】
ここで制御部１４は本発明の請求項に記載した制御手段、音声データ読出手段、合成手段、入力レベル判定手段及び入力レベル調整手段が有する機能を実現し、ＲＯＭ１５は音声データ記憶手段が有する機能を実現し、ＫＥＹ１６は入力レベル指定手段が有する機能を実現し、接続検出器１９は検出手段が有する機能を実現し、内蔵マイク１３１ｌは第１のマイクが有する機能を実現し、外部マイク１３１ｒは第２のマイクが有する機能を実現する。
【００１８】
また、携帯電話１００にはイヤホンマイク１３０が接続されているものとする。イヤホンマイク１３０は、外部マイク１３１ｒ、外部左スピーカ１３２ｌ及び外部右スピーカ１３２ｒを備える。
【００１９】
アンテナ１１は、図示しない基地局から送信された無線信号を受信すると共に、携帯電話１００のＲＦ１２から出力される信号を基地局に向け発信する。
【００２０】
ＲＦ１２は、増幅器、変調器、及び復調器を具備し、アンテナ１１で受信した受信信号をこの増幅器で増幅し、復調器で復調して制御部１４に出力する。また、制御部１４から入力された送信信号をこの変調器で変調し、増幅器で増幅してアンテナ１１に送信する。
【００２１】
制御部１４は、ＫＥＹ１６の備える各種操作キー（図示略）の押下による押下信号に応じて、通話用アプリケーションや録音・再生用アプリケーション（図２に示すフローチャート参照）等の各種アプリケーションを実行する。
【００２２】
制御部１４は、イヤホンマイク１３０が接続されている場合に（すなわち、イヤホンマイク１３０の接続が接続検出器１９により検出された場合）上記録音・再生用アプリケーションプログラムを実行する際、ステレオ方式で録音する旨の指示がＫＥＹ１６から入力されると、ＳＷ１３ａを制御して内蔵マイク１３１ｌ及び外部マイク１３１ｒをそれぞれ左マイク及び右マイクに設定する。この場合制御部１４は、録音をモノラル方式で行う旨の指示がＫＥＹ１６から入力されると、内蔵マイク１３１ｌを使用停止して外部マイク１３１ｒからの入力のみを受け付けるようＳＷ１３ａを制御する（以上、図２（ａ）に示すフローチャート及び後述する動作の説明参照）。
【００２３】
なお、制御部１４は、ステレオ方式で録音する旨の指示がＫＥＹ１６から入力された際、内蔵マイク１３１ｌを右マイクに外部マイク１３１ｒを左マイクに設定するようにしても良い。また制御部１４は、モノラル方式で録音する旨の指示がＫＥＹ１６から入力された際、外部マイク１３１ｒを使用停止して内蔵マイク１３１ｌからの入力のみを受け付けるようにしても良いし、ＫＥＹ１６を介して入力される内蔵マイク１３１ｌ及び外部マイク１３１ｒのうち何れのマイクを使用するかを指定する指示入力に基づいてマイクの選択を行うようにしても良い。
【００２４】
制御部１４は、Ａ／Ｄ（Ａｎａｌｏｇ／Ｄｉｇｉｔａｌ）変換部１４ａ及びＤＳＰ（Ｄｉｇｉｔａｌ　Ｓｉｇｎａｌ　Ｐｒｏｃｅｓｓｏｒ）部１４ｂを備える。Ａ／Ｄ変換部１４ａは、内蔵マイク１３１ｌ及び外部マイク１３１ｒからＳＷ１３ａを介して取り込まれたアナログ音声信号（以下、音声信号という）をデジタル音声データ（以下、音声データという）に変換すると共に、ＤＳＰ部１４ｂから入力された音声データを音声信号に変換してＳＷ１３ｂを介して内蔵左スピーカ１３３ｌ及び内蔵右スピーカ１３３ｒ或いは外部左スピーカ１３２ｌ及び外部右スピーカ１３２ｒに出力する。
【００２５】
制御部１４は、イヤホンマイク１３０が接続されていない場合（すなわち、イヤホンマイク１３０の接続が接続検出器１９により検出されていない場合）、ＳＷ１３ｂを制御してＡ／Ｄ変換部１４ａから出力された音声信号を内蔵左スピーカ１３３ｌ及び内蔵右スピーカ１３３ｒに出力し、イヤホンマイク１３０が接続されている場合、ＳＷ１３ｂを制御してＡ／Ｄ変換部１４ａから出力された音声信号を外部左スピーカ１３２ｌ及び外部右スピーカ１３２ｒに入力するよう制御する（以上、図２（ｂ）に示すフローチャート及び後述する動作の説明参照）。
【００２６】
なお制御部１４は、イヤホンマイク１３０が接続されている場合でもＫＥＹ１６から入力される指示に基づいて内蔵左スピーカ１３３ｌ及び内蔵右スピーカ１３３ｒに音声信号を出力するようにしても良い。
【００２７】
制御部１４は、着信があるか否かを監視し、着信があった場合にＬＥＤ１８を点灯或いは点滅させる。更に制御部１４は、実行中のアプリケーションに係る各種表示情報をＬＣＤ１７に表示させる。
【００２８】
ＤＳＰ部１４ｂは、音声データ等のデジタルデータを高速処理する。特にこの場合、ＤＳＰ部１４ｂは音声データの圧縮／伸張処理を高速で行う。
【００２９】
ＲＯＭ１５はフラッシュメモリ（ｆｌａｓｈ　ｍｅｍｏｒｙ）等の書き換え可能な不揮発メモリであって、携帯電話１００の各種動作を制御する主制御プログラム、携帯電話１００の有する各種アプリケーション用プログラム等（例えば、通話用アプリケーションや録音・再生用アプリケーションプログラム等）を格納する。またＲＯＭ１５は、左右のステレオ音声データを格納する。
【００３０】
ＫＥＹ１６は、図示しないカーソルキー、オンフックキー、オフフックキー、テンキー等の各種操作キーを備える。またＫＥＹ１６は、ステレオ方式で録音・再生するかモノラル方式で録音・再生するかを選択する為の選択キーを備える。
【００３１】
ＬＣＤ１７は制御部１４から出力される各種表示情報を表示し、ＬＥＤ１８は着信が制御部１４により検知された際に点滅してこの旨をユーザに報知する。
【００３２】
接続検出器１９は、携帯電話１００にイヤホンマイク１３０が接続され、外部マイク１３１ｒ、外部左スピーカ１３２ｌ及び外部右スピーカ１３２ｒが利用可能な状態にあるか否かを検出し、この検出信号を制御部１４に送信する。
【００３３】
内蔵マイク１３１ｌはモノラル方式のマイクであり、入力された音声をアナログの音声信号に変換する。通信先に送信される或いは録音される音声はこの内蔵マイク１３１ｌを介して入力される。
【００３４】
内蔵左スピーカ１３３ｌ及び内蔵右スピーカ１３３ｒは一対でステレオ方式のスピーカを構成し、通信先から送信された音声信号或いは再生された音声信号を外部に放音する。
【００３５】
また、携帯電話１００に接続されたイヤホンマイク１３０は、外部マイク１３１ｒ、外部左スピーカ１３２ｌ及び外部右スピーカ１３２ｒを備える。外部マイク１３１ｒはモノラル方式のマイクであるが、外部左スピーカ１３２ｌ及び外部右スピーカ１３２ｒは一対でステレオ方式のスピーカを構成する。
【００３６】
次に、図２を参照して携帯電話１００の動作を説明する。図２（ａ）は、携帯電話１００による録音処理を説明するフローチャートであり、図２（ｂ）は再生処理を説明するフローチャートである。
【００３７】
以下、携帯電話１００にはイヤホンマイク１３０が接続されているものとする。
【００３８】
まず録音処理について説明する。
ＫＥＹ１６からステレオ方式で録音する旨の指示が入力された場合（ステップＳ１１；Ｙｅｓ）、制御部１４はＳＷ１３ａを制御して内蔵マイク１３１ｌを左マイクに外部マイク１３１ｒを右マイクに設定する（ステップＳ１２）。
【００３９】
ステップＳ１２の後、制御部１４は内蔵マイク１３１ｌ及び外部マイク１３１ｒから音声信号を取り込むと（ステップＳ１３）、Ａ／Ｄ変換部１４ａを制御して当該取り込んだ音声信号（アナログ）を左右別々に音声データ（デジタル）に変換し（ステップＳ１４）、次いでＤＳＰ部１４ｂを制御して当該音声データを左右別々に圧縮した後（ステップＳ１５）、当該圧縮後の音声データを左右別々にＲＯＭ１５に格納する（ステップＳ１６）。
【００４０】
ステップＳ１１の段階で、ＫＥＹ１６からモノラル方式で録音する旨の指示が入力された場合（ステップＳ１１；Ｎｏ）、制御部１４はＳＷ１３ａを制御して外部マイク１３１ｒからモノラルの音声信号を取り込み（ステップＳ１７、ステップＳ１８）、Ａ／Ｄ変換部１４ａを制御して当該取り込んだモノラルの音声信号（アナログ）をモノラルの音声データ（デジタル）に変換し（ステップＳ１９）、次いでＤＳＰ部１４ｂを制御して当該モノラルの音声データを圧縮した後（ステップＳ２０）、当該圧縮後のモノラルの音声データをＲＯＭ１５に格納する（ステップＳ２１）。
【００４１】
次いで再生処理について説明する。
ＫＥＹ１６から再生指示が入力されると、制御部１４はＲＯＭ１５に左右別々に格納された音声データを読み出す（ステップＳ３１）。次いでＫＥＹ１６からステレオ方式で再生する旨の指示が入力された場合（ステップＳ３２；Ｙｅｓ）、制御部１４は、ＤＳＰ部１４ｂを制御して当該読み出した音声データを左右別々に伸張し（ステップＳ３３）、次いでＡ／Ｄ変換部１４ａを制御して当該伸張した音声データを左右別々に音声信号に変換した後（ステップＳ３４）、当該音声信号を左右別々に外部左スピーカ１３２ｌ及び外部右スピーカ１３２ｒにそれぞれ放音する（ステップＳ３５）。
【００４２】
ステップＳ３２の段階で、ＫＥＹ１６からモノラル方式で再生する旨の指示が入力された場合（ステップＳ３２；Ｎｏ）、制御部１４は、ＤＳＰ部１４ｂを制御して当該読み出した音声データをモノラルの音声データに合成し（ステップＳ３６）、当該モノラルの音声データを伸張する（ステップＳ３７）。その後制御部１４は、Ａ／Ｄ変換部１４ａを制御して当該伸張後のモノラルの音声データをモノラルの音声信号に変換した後（ステップＳ３８）、当該モノラルの音声信号を外部左スピーカ１３２ｌ及び外部右スピーカ１３２ｒに共に放音する（ステップＳ３５）。
【００４３】
以上説明したように、本発明を適用した携帯電話１００によれば、イヤホンマイク１３０が接続された際、制御部１４は携帯電話１００の内蔵マイク１３１ｌとイヤホンマイク１３０の外部マイク１３１ｒとを一対のステレオ方式のマイクに設定してステレオ録音する。この録音の際、制御部１４は音声データを左右別々に（すなわち内蔵マイク１３１ｌから取り込んだ音声データと外部マイク１３１ｒから取り込んだ音声データとを別々に）ＲＯＭ１５に格納するので、当該ＲＯＭ１５に格納した音声データをステレオ方式で再生できる。
【００４４】
従って、ステレオ方式用のマイクを新たに設けることなく、従来の内蔵マイク１３１ｌと外部マイク１３１ｒとを用いることによりステレオ方式の録音が可能となるので、携帯電話１００の装置構成の複雑化及び高コスト化が回避できる。
【００４５】
なお、本実施の形態における記述は、本発明に係る通信端末の一例を示すものであり、これに限定されるものではない。本実施の形態の携帯電話１００の細部構成、及び詳細動作に関しては、本発明の趣旨を逸脱しない範囲で適宜変更可能である。
【００４６】
内蔵マイク１３１ｌと外部マイク１３１ｒとを別々のチャンネルにして録音することにより、左右チャンネルの独立性をより鮮明にすることが可能となる。これにより単にステレオ録音の用途のみに限らず、種々の用途に応用することが可能となる。
【００４７】
例えば、周囲の雑音が多い環境下で録音する場合、再生時には、内蔵マイク１３１ｌ或いは外部マイク１３１ｒによって録音された音声のうち音質の良いほうを選択して再生する機能を備えるようにしても良い。すなわちこの場合、制御部１４は、内蔵マイク１３１ｌ或いは外部マイク１３１ｒによって録音された音声のうちでＫＥＹ１６を介して選択入力された何れか一方の音声のみ再生する。
【００４８】
また、会議における人の声を録音する場合等のように、携帯電話１００本体とイヤホンマイク１３０を離隔させ、イヤホンマイク１３０の外部マイク１３１ｒで主に人の声を録音し、内蔵マイク１３１ｌで周囲の雑音を録音するようにし、再生時には、内蔵マイク１３１ｌで録音された当該周囲の雑音レベルを逆転させたものと外部マイク１３１ｒで録音された当該人の音声とを合成することにより、周囲の雑音を打ち消して会議における人の声をより鮮明に再生する機能を備えるようにしても良い。すなわちこの場合、制御部１４は、内蔵マイク１３１ｌにより録音された音声データと外部マイク１３１ｒにより録音された音声データとを、音声レベルの正負（符号）が互いに逆転するように合成する機能を有する。
【００４９】
また、本実施の形態では、録音をステレオ方式で行うかモノラル方式で行うかをＫＥＹ１６から指定するようにしたが、これに限らず、イヤホンマイク１３０が接続されると自動的にステレオ方式で録音するよう設定されるようにしても良い。すなわちこの場合、制御部１４は、接続検出器１９によりイヤホンマイク１３０が接続された旨が検出されると、ＳＷ１３ａを制御して録音をステレオ形式で行う。すなわち、制御部１４は、イヤホンマイク１３０が接続されると、内蔵マイク１３１ｌを左マイクに設定し、外部マイク１３１ｒを右マイクに設定する。また左右がこれと逆であっても良い。
【００５０】
また、制御部１４は、録音をステレオ方式で行うかモノラル方式で行うかの設定をＲＯＭ１５に記憶しておき、電源再投入時には、当該設定をＲＯＭ１５から読み出して録音するようにしても良い。
【００５１】
また、制御部１４は、実際に録音を行う前に内蔵マイク１３１ｌ及び外部マイク１３１ｒの入力レベルを検出し、当該検出した入力レベルが互いに均等になるよう自動でレベル調整を行うレベル調整モードを起動するようにしても良い。
【００５２】
また、制御部１４は、上記レベル調整モードを起動すると、当該２つのマイクからの入力レベルをユーザによりマニュアル調整可能なＧＵＩ（Ｇｒａｐｈｉｃａｌ　Ｕｓｅｒ
Ｉｎｔｅｒｆａｃｅ）を起動するようにしても良い。
【００５３】
【発明の効果】
本発明によれば、通信端末の装置構成を複雑化することなく低コストで携帯電話等の通信端末にステレオ方式の録音が行えるようにできる。
【図面の簡単な説明】
【図１】本発明を適用した携帯電話の主要構成を示すブロック図である。
【図２】（ａ）は、本発明を適用した携帯電話による録音処理を説明するフローチャートであり、（ｂ）は再生処理を説明するフローチャートである。
【符号の説明】
１００　携帯電話
１１　アンテナ
１２　ＲＦ
１３０　イヤホンマイク
１３１ｌ　内蔵マイク
１３１ｒ　外部マイク
１３２ｌ　外部左スピーカ
１３２ｒ　外部右スピーカ
１３３ｌ　内蔵左スピーカ
１３３ｒ　内蔵右スピーカ
１３ａ、１３ｂ　ＳＷ
１４　制御部
１４ａ　Ａ／Ｄ変換部
１４ｂ　ＤＳＰ部
１５　ＲＯＭ
１６　ＫＥＹ
１７　ＬＣＤ
１８　ＬＥＤ
１９　接続検出器
【図１】
2004023535.tif 000003
【図２】
2004023535.tif 000004